(57)【要約】      （修正有）【課題】服用時間帯毎に薬を簡単に分けて収容でき、各薬の取出しも簡単に行える一日薬小分け袋を提供する。【解決手段】一日薬小分け袋１は、ヒートシール部１７、１８によって、その内部が３つの小分け用内ポケット１１〜１３に仕切られ、外部が３つの外ポケット２１〜２３に仕切られている。各小分け用内ポケット１１〜１３に、服用時間帯が朝、昼、晩の薬を分けて収容できるので、薬の飲み忘れ、飲み間違いの防止に有効である。食間に服用する漢方薬などの薬、サイズの大きな粉薬等は外ポケット２１〜２３に入れておくことができる。【選択図】図１
0003231566.tif 000002
【実用新案登録請求の範囲】
【請求項１】
長方形輪郭のプラスチックフィルム製の袋本体部と、
前記袋本体部の上端の全幅に亘って形成した袋開口部と、
前記袋開口部を開閉するために当該袋開口部に沿って取り付けた線ファスナと、
前記袋本体部の内部において横方向に配列された複数の小分け用内ポケットと、
前記袋本体部の一方の外側表面に取り付けられた外ポケットと、
を備えていることを特徴とする一日薬小分け袋。
【請求項２】
３つの前記小分け用内ポケットが配列されている請求項１に記載の一日薬小分け袋。
【請求項３】
前記袋本体部の内部は、横方向に等間隔で形成したヒートシール部によって仕切られて前記小分け用内ポケットが形成されている請求項1または２に記載の一日薬小分け袋。
【請求項４】
前記外ポケットは、前記袋本体部の一方の側面に取り付けられている長方形の上側のカバーフィルム部分と長方形の下側のフィルム部分によって形成されており、
前記上側のカバーフィルム部分の下端縁と前記下側のフィルム部分の上端縁との間が、外方に開口する一定幅の前記外ポケットのポケット口となっている請求項１、２または３に記載の一日薬小分け袋。
【請求項５】
前記袋本体部の他方の側面における前記小分け用内ポケットのそれぞれに対応する部位には、白色のラベル領域が配置されており、
前記ラベル領域には、筆記用具を用いて情報を書き込み可能である請求項４に記載の一日薬小分け袋。
【考案の詳細な説明】
【技術分野】
【０００１】
本考案は、服用時間帯が異なる複数種類の薬を誤りなく服用できるように小分けされた一日薬小分け袋に関する。
【背景技術】
【０００２】
処方された薬の種類が多く、また、一日における服用時間帯が異なる場合がある。このような場合に、薬を誤りなく各時間帯に服用できるように、服用時間帯毎に薬を小分けして収容できる仕分け袋が提案されている。特許文献１において提案されている薬の仕分け袋は、服用時間帯１回ごとの薬を収容する小分け袋と、１日分の小分け袋のセットをまとめて収容する日分け袋を備えている。また、小分け袋は、朝だけ、朝夕、毎食後等の服用パターン別に分けて収容でき、各小分け袋には、服用パターン、服用する曜日を表示できるようになっている。
【先行技術文献】
【特許文献】
【０００３】
【特許文献１】実用新案登録第３１３６８４７号公報
【考案の概要】
【考案が解決しようとする課題】
【０００４】
上記の仕分け袋では、１枚の日分け袋に収納した複数枚の小分け袋に、服用時間帯の異なる薬が収容される。日分け袋に収納されている複数枚の小分け袋から、服用時間帯の薬が収容されている小分け袋を取り出し、この中から薬を取り出して服用し、服用後には、小分け袋を再び日分け袋に戻す必要がある。薬を服用する度に、小分け袋を取出し、服用後は小分け袋を戻す必要がある。また、繰り返し服用している間に、小分け袋を日分け袋に戻し忘れるなどして紛失してしまうおそれもある。また、漢方薬等の服用時間帯が決まっていない薬の入った袋等が、小分け袋と共に日分け袋に乱雑に収容されると、必要とする薬をスムーズに取り出すことができないこともある。
【０００５】
本考案の目的は、服用時間帯毎に薬を簡単に分けて収容することができ、収容されている各薬の取出しも簡単に行うことのできる一日薬小分け袋を提供することにある。
【課題を解決するための手段】
【０００６】
上記の課題を解決するために、本考案の一日薬小分け袋は、
長方形輪郭のプラスチックフィルム製の袋本体部と、
前記袋本体部の上端の全幅に亘って形成した袋開口部と、
前記袋開口部を開閉するために当該袋開口部に沿って取り付けた線ファスナと、
前記袋本体部の内部において横方向に配列された複数の小分け用内ポケットと、
前記袋本体部の一方の外側表面に取り付けられた外ポケットと、
を備えていることを特徴としている。
【０００７】
本考案の一日薬小分け袋は、一枚の袋の内部を複数の区画に仕切り、各区画を小分け用内ポケットとして用いている。各小分け用内ポケットに服用時間帯の異なる薬を分けて収容できる。例えば、３つの小分け用内ポケットを設けると、それぞれの小分け用内ポケットに、朝、昼、夜の時間帯に服用する錠剤等の薬を分けて収容できる。よって、薬の飲み忘れ、飲み間違いを防止するのに有効である。
【０００８】
各小分け用内ポケットに対応する袋本体部の外側表面の部位に、筆記用具により書き込み可能なラベル領域を形成しておいてもよい。ここに、小分けされている薬に関する情報、服用時間帯等を記載しておくことで、確実に、薬の飲み忘れ、誤飲を防止できる。
【０００９】
また、線ファスナが取り付けられているので、線ファスナをスライドさせて袋開口部を開けて、各小分け用内ポケットから服用すべき薬を簡単に取り出すことができる。
【００１０】
さらに、一日薬小分け袋には外ポケットも付いているので、ここに、漢方薬などの入った薬袋、その他の薬袋等を収容しておくことができる。服用時間帯毎に薬が収容される小分け用内ポケットに、収容場所が無いので、仕方なく、服用時間帯が異なる薬や漢方薬等の薬を混在させてしまう事態も回避できる。
【図面の簡単な説明】
【００１１】
【図１】（ａ）は本考案を適用した一日薬小分け袋の外ポケットが配置された側面を示す説明図であり、（ｂ）は反対側の側面を示す説明図であり、（ｃ）は（ａ）のｃ−ｃ線で切断した場合の袋の断面構成を示す説明図である。
【図２】（ａ）〜（ｄ）は一日薬小分け袋の作用効果を示すための説明図である。
【考案を実施するための形態】
【００１２】
以下に、図面を参照して本考案を適用した一日薬小分け袋の実施の形態を説明する。図１に示すように、本実施の形態に係る一日薬小分け袋１は、透明なプラスチックフィルムから形成された横長の長方形輪郭の扁平な袋本体部２を備えている。袋本体部２の上端は、全幅に亘って袋開口部３となっている。袋開口部３に沿って線ファスナ４が取り付けられている。
【００１３】
袋本体部２の内部には、等間隔で横方向に仕切られた３つの小分け用内ポケット１１〜１３が形成されている。袋本体部２の一方の外側表面には、３つの外ポケット２１〜２３が形成されている。線ファスナ４のスライド式のノブ５を、一方の端の閉じ位置５ａから他方の端の開き位置５ｂにスライドさせると、袋開口部３が閉じ状態から全開状態になり、小分け用内ポケット１１〜１３が開くようになっている。
【００１４】
小分け用内ポケット１１〜１３は、袋開口部３から袋本体部２の下端縁６よりも上側の位置までの深さ寸法のポケットである。小分け用内ポケット１１〜１３の底部１１ｂ〜１３ｂは、横方向に延びる１本のヒートシール部１４によって規定されている。また、小分け用内ポケット１１〜１３の左右の側縁は、袋本体部２の左右の縁部を封鎖している縦方向に延びるヒートシール部１５、１６と、これらの間において等間隔で縦方向に延びる２本のヒートシール部１７、１８によって規定されている。２本のヒートシール部１７、１８の上端は、袋開口部３よりも下側の位置で止まっており、各小分け用内ポケット１１〜１３のポケット口１１ａ〜１３ａは、袋本体部２の内部において、袋開口部３よりも下側の位置に開口している。
【００１５】
小分け用内ポケット１１〜１３の一方の側面を形成しているフィルム部分２ａは、図１（ｃ）から分かるように、これらの底部を規定するヒートシール部１４よりも下方に延びている。フィルム部分２ａの下端縁２ｂ（袋本体２の下端縁６）には、ここから上方に折り畳まれて、フィルム部分２ａの表面に沿って上方に延びるフィルム部分２ｃが繋がっている。フィルム部分２ｃの上端縁２ｄは、ヒートシール部１４よりも上方まで延びている。このフィルム部分２ａの下端縁２ｂによって外ポケット２１〜２３の底部が規定されている。フィルム部分２ｃの上端縁２ｄの上方には、フィルム部分２ａの表面に沿って、袋開口部３から下方に延びるカバーフィルム部分２ｅが延びている。フィルム部分２ａとフィルム２ｃの間、およびフィルム２ａとフィルム部分２ｅとの間も、それぞれ、ヒートシール部１７、１８によってシールされて、横方向に３つの外ポケット２１〜２３に仕切られている。下側のフィルム部分２ｃの上端縁２ｄと、上側のカバーフィルム部分２ｅの下端縁２ｆとの間が、外方に開口している各外ポケット２１〜２３のポケット口２１ａ〜２３ａである。
【００１６】
ここで、図２（ｂ）に示すように、袋本体部２における外ポケット形成側の側面とは反対側の側面の下側部分を規定しているフィルム部分２ａの表面には、白色のラベル領域が配置されている。本例では、各小分け用内ポケット１１〜１３に対応する部位に、鉛筆、ペン等の筆記用具で書き込み可能な長方形の白色ラベル７ａ、７ｂ、７ｃが貼着されている。勿論、外ポケット２１〜２３を形成しているフィルム自体を乳白色のフィルムにすることで、ラベル領域を形成することもできる。
【００１７】
図２を参照して一日薬小分け袋１の作用効果を説明する。図２（ａ）に示すように、一日薬小分け袋１の線ファスナ４のノブ５をスライドすると、袋開口部３が開く。開いた袋開口部３から、ヒートシール部１７、１８によって区画されている内部の３つの小分け用内ポケット１１〜１３のポケット口１１ａ〜１３ａにアクセスできる。
【００１８】
袋本体部２の内部に３つの小分け用内ポケット１１〜１３が形成されているので、朝昼晩と飲む薬を分けて各小分け用内ポケット１１〜１３に収容しておくことができ、飲み忘れも防止できる。
【００１９】
また、図２（ｂ）に示すように、袋本体部２における外ポケット２１〜２３とは反対側の側面には、油性ペンなどの筆記用具によって書き込み可能な白色ラベル７ａ〜７ｃが貼り付けられている。これらの白色ラベル７ａ〜７ｃに、「朝」、「昼」、「晩」などの服用時間帯に関する記載、薬の種類に関する記載、その他の記載をしておくことができる。これにより、小分け用内ポケット１１〜１３に、どの薬が収容されているのかなどを確認できる。
【００２０】
図２（ｃ）に示すように、一日薬小分け袋１は、一般にジッパー、チャック等と呼ばれる線ファスナ４が取り付けられている。線ファスナ４はスライド式なので、そのノブ５を閉じ位置からヒートシール部１７の位置までスライドさせると、左側の小分け用内ポケット１１から薬を取出し可能となり、ノブ５を次のヒートシール部１８の位置までスライドさせると、中央の小分け用内ポケット１２から薬を取出し可能となり、ノブ５を開き位置５ｂまでスライドさせると、右側の小分け用内ポケット１３から薬を取出し可能になる。飲みたい薬を、各小分け用内ポケット１１〜１３からスムーズに取り出すことができる。
【００２１】
また、図２（ｄ）に示すように、一日薬小分け袋１には外ポケット２１〜２３も付いている。サイズの大きな粉薬２４ａ〜２４ｃなどは、外ポケット２１〜２３に入れておくことができる。また、外ポケット２１〜２３は、朝昼晩とは異なる服用時間帯の薬、例えば、食間に服用しなくてはならない漢方薬等の保管、メモ用紙等の保管にも便利である。
【符号の説明】
【００２２】
１  一日薬小分け袋
２  袋本体部
２ａ  フィルム部分
２ｂ  下端縁
２ｃ  フィルム部分
２ｄ  上端縁
２ｅ  カバーフィルム部分
２ｆ  下端縁
３  袋開口部
４  線ファスナ
５  ノブ
５ａ  閉じ位置
５ｂ  開き位置
６  下端縁
７ａ、７ｂ、７ｃ  白色ラベル
１１、１２、１３  小分け用内ポケット
１１ａ〜１３ａ  ポケット口
１４〜１８  ヒートシール部
２１〜２３  外ポケット
２１ａ〜２３ａ ポケット口
２４ａ、２４ｂ、２４ｃ  粉薬
【図１】
0003231566.tif 000003
【図２】
0003231566.tif 000004